(57)【要約】【課題】本発明は、硬くて小さなボールを用いるゴルフや野球などのスポーツのプレー中や観戦時に、飛来したボールが頭部に当る事故に遭遇しても、殆ど負傷せず頭部が保護される保護帽を提供することを目的とする。【解決手段】帽子本体１を、低反発素材２と、該低反発素材２の芯材として用いる引張力強化繊維３と、から少なくとも構成して形成させる。また前記低反発素材２として、軟質ウレタンフォームの気泡を連通させた低反発弾性フォームや、ポリオールとポリイソシアネートを主成分とし、その中に発泡剤整泡材，触媒などを入れて撹拌混合して発泡させたものを用いるのが良く、前記引張力強化繊維３として、アラミド繊維，炭素繊維，セルロースナノファイバーを用いると良い。【選択図】図１
2019023370.tif 000002
【特許請求の範囲】
【請求項１】
帽子本体（１）を、低反発素材（２）と、該低反発素材（２）の芯材として用いる引張力強化繊維（３）と、から少なくとも構成して形成させたことを特徴とする保護帽。
【請求項２】
前記低反発素材（２）が、軟質ウレタンフォームの気泡を連通させた低反発弾性フォームである請求項１記載の保護帽。
【請求項３】
前記引張力強化繊維（３）が、アラミド繊維である請求項１記載の保護帽。
【請求項４】
前記引張力強化繊維（３）が、炭素繊維或いはセルロースナノファイバーである請求項１記載の保護帽。
【請求項５】
前記低反発素材（２）の主成分がポリオールとポリイソシアネートであり、それに、発泡剤と、整泡材と、触媒と、を少なくとも撹拌混合して発泡させた請求項１記載の保護帽。
【請求項６】
帽子本体（１）に、少なくとも後部カバー(７)を備え、その後部カバー(７)が、前記引張力強化繊維（３）を芯材とした低反発素材（２）で形成された請求項１記載の保護帽。
【発明の詳細な説明】
【技術分野】
【０００１】
本発明は硬くて小さなボールを用いるゴルフや野球などのスポーツのプレーヤー或いは観戦者が被る保護帽に関する。
【背景技術】
【０００２】
一般にゴルフや野球などのスポーツのプレーヤー或いは観戦者が被る帽子としては、日除け用に被るキャップやハットが大半である。しかしながら、キャップやハットを被ってゴルフや野球などのプレー中や観戦中、ボールが飛来して頭部に当る事故が起こる恐れがあったが、事故は頻繁に起こるものではないので、ゴルフや野球などをプレー或いは観戦する人は、飛来したボールから頭部を保護するために、特別な対処を行なっていないのが現状である。
又、飛来したボールから頭部を保護するものとしては、安全帽と言われるヘルメットがあり、これを被れば良いが、一般にゴルフや野球などのプレーヤーや観戦者が、前記ヘルメットを被ると、夏場は頭部が蒸れると共に、見た目も悪く、持運びや保管が面倒である。
一方、プレー中に野球選手全員がヘルメットを被ると、ヘルメットの外周が硬いので、ボールを追いかける際に選手同士が激突すると、ヘルメットで選手が大ケガし易くなる。これらの理由で野球選手全員がヘルメットを被ることはない。
【０００３】
このため、近年に於いては、ゴルフや野球などのスポーツの観戦者が被る保護帽として、特開２００５−１６３２２８「保護帽」が提案されている。これは帽子本体の内部に保護部材を着脱自在に嵌合したものであり、保護部材は、全体としてキャップ状であり、その内外の表面を生地によって覆われた所要厚さの衝撃吸収用の発泡樹脂エラストマーを芯材として用いるものであった。また前記発泡樹脂エラストマーとしては、２．５〜３．５ｍｍ、好ましくは３ｍｍの厚さの発泡樹脂エラストマーで、特には低反発性エラストマーであり、ウレタン系エラストマーを用いることが記載されている。
【０００４】
しかしながら、特開２００５−１６３２２８の保護帽を被って、ゴルフや野球などのスポーツをプレー、或いは観戦した場合、硬くて小さなボールが飛来して頭部に当ると、芯材である３ｍｍ前後の厚さの発泡樹脂エラストマーによって、頭部に衝撃が加わる力はある程度吸収されて小さくなり、頭部に致命傷となるような大きな外傷は防止可能と思われるが、衝撃力が３ｍｍ前後の厚さでは略完全に吸収することは困難であり、頭部に、かなり大きな力が加わるのではないかと考えられる。つまり、ボールが３ｍｍ前後の厚さの発泡樹脂エラストマーに食い込み、ボールが裏地に接触した状態で、頭部に衝撃力が加わる恐れがあるのではないかと考えられるため、大きな力が頭部に加わってしまう。
【０００５】
尚、低反発ウレタンと、アラミド繊維体が被された頭部保護具としては、災害時に高い衝撃吸収性，防護性，耐熱性を備えた防災頭巾が、特開２０１３−２２０３９で提案されている。これはアラミド繊維で形成し、頭頂部に低反発ウレタンで構成されたクッション部材が設けられたものである。又、アラミド繊維体の表面にはアルミニウムコートされている。しかしながら、特開２０１３−２２０３９は、通勤途中や外出時に災害に遭遇した際に被ると便利であるが、防災頭巾を平時に被ると、見た目が悪く、違和感が漂うため、通勤や外出する時には被らないものであった。しかも、カバンや手提げ等に防災頭巾を入れて持ち運びすることは、平時は被らないものであるため、カバンや手提げ等の収納スペースが少なくなってしまう。従って、特開２０１３−２２０３９は、日常持ち歩くのに不便なものとなっていた。更にゴルフや野球などのスポーツのプレー中や観戦する際に、防災頭巾を被らない理由は、通勤や外出する時に被らない理由と同様である。
【先行技術文献】
【特許文献】
【０００６】
【特許文献１】特開２００５−１６３２２８号公報
【特許文献２】特開２０１３−２２０３９号公報
【発明の概要】
【発明が解決しようとする課題】
【０００７】
本発明は、ゴルフや野球などのスポーツのプレー中や観戦時に、飛来したボールが頭部に当る事故に遭遇しても、殆ど負傷せず頭部が保護される保護帽を提供することを目的とする。
【課題を解決するための手段】
【０００８】
本発明は上記現状に鑑みて成されたものであり、つまり、帽子本体を、低反発素材と、該低反発素材の芯材として用いる引張力強化繊維と、から少なくとも構成して形成させる。また前記低反発素材として、軟質ウレタンフォームの気泡を連通させた低反発弾性フォームや、ポリオールとポリイソシアネートを主成分とし、その中に発泡剤，整泡材，触媒などを入れて撹拌混合して発泡させたものを用いるのが良く、前記引張力強化繊維として、アラミド繊維，炭素繊維，セルロースナノファイバーを用いると良い。又、前記帽子本体に、少なくとも後部カバーを備え、その後部カバーを帽子本体の材料で一体に形成させたものとしても良い。
【発明の効果】
【０００９】
請求項１のように帽子本体（１）を、低反発素材（２）と、該低反発素材（２）の芯材として用いる引張力強化繊維（３）と、から少なくとも構成して形成させることにより、ゴルフや野球などのスポーツのプレー中や観戦時に、飛来したボールが頭部に当る事故に遭遇しても、ボールが表側の低反発素材（２）に食い込み、ボールの衝撃力を低反発素材（２）で効率良く吸収し、また芯材である引張力強化繊維（３）によってそれ以上深く食い込みにくくなると共にボールの衝撃力が引張力強化繊維（３）によって分散されて、更に裏側（頭部側）の低反発素材（２）で分散された衝撃力を受け止めるため、ボールが頭部に接触する心配はなくなる。この結果、ボールの衝撃力を効率良く吸収し、分散し、更に吸収されることによって、頭部に加わる衝撃力は極めて小さくなり、殆ど頭部が負傷されず保護可能なものとなる。また前記引張力強化繊維（３）であるアラミド繊維や低反発素材（２）には、断熱効果を有しているので、本発明品を被れば、熱中症の防止にもなる。
更に帽子本体（１）を折畳むことが出来るので、持ち運びが便利で、携帯に適したものとなる。
【００１０】
請求項２のように低反発素材（２）として、軟質ウレタンフォームの気泡を連通させた低反発弾性フォームを用いることにより、飛来したボールが頭部に当る事故に遭遇しても、ボールの衝撃力を効率良く吸収し、且つ、頭部にボールが接触することが防止出来ると共に、頭部に与える衝撃力が極めて小さなものとなるため、頭部が負傷する恐れが殆どなくなる。
【００１１】
請求項３に示すように引張力強化繊維（３）として、アラミド繊維を用いることにより、ボールが表側の低反発素材（２）に食い込んでも、芯材である引張力強化繊維（３）によってそれ以上深く食い込みにくくなると共に、ボールの衝撃力が引張力強化繊維（３）によって分散されるため、ボールが頭部に接触する心配はなくなる。
【００１２】
請求項４に示すように引張力強化繊維（３）として、炭素繊維やセルロースナノファイバーを用いることにより、請求項３と同様な効果が得られる。
【００１３】
請求項５のように低反発素材（２）の主成分がポリオールとポリイソシアネートであり、それに、発泡剤と、整泡材と、触媒と、を少なくとも撹拌混合して発泡させることにより、請求項２と同様な効果が得られる。
【００１４】
請求項５のように帽子本体（１）に、少なくとも後部カバー（７）を備え、その後部カバー（７）が、引張力強化繊維（３）を芯材とした低反発素材（２）で形成されることにより、首を衝撃力から保護出来ると共に日除けの役目も果たす。
【図面の簡単な説明】
【００１５】
【図１】本発明の実施形態を示す説明図である。
【図２】本実施形態の要部を示す説明図である。
【図３】本実施形態に後部カバーと耳カバーを備えた状態を示す説明図である。
【図４】本発明の作用を示す説明図である。
【発明を実施するための形態】
【００１６】
本発明の実施形態を図１に基づいて説明する。（１）はキャップやハットの帽子本体であり、（２）は帽子本体（１）の外周を形成した所定厚さの低反発素材であり、該低反発素材（２）としては、軟質ウレタンフォームの気泡を連通させた低反発弾性フォームや、主成分がポリオールとポリイソシアネートであり、それに、発泡剤と、整泡材と、触媒と、を少なくとも撹拌混合して発泡させたものを用いる。前記所定厚さとしては、１０〜２０ｍｍ前後とするのが好ましい。
【００１７】
前記軟質ウレタンフォームは、バネのような弾性と、粘土やガムのような粘性を持つ「粘弾性フォーム」であり、弾性を押え、粘性を上げたフォームで、気泡が連通し、ゆっくりと元に戻る性質がある。これは反発弾性が１５％程度以下（ＴＩＳＫ６４００−３）と非常に小さく、局部的な圧迫が少なく、衝撃力が全体に分散されるため、衝撃吸収性能が高いものである。
又、主成分をポリオールとポリイソシアネートとし、それに、発泡剤と、整泡材と、触媒と、を少なくとも撹拌混合して発泡させた低反発弾性フォームは、圧縮後、ゆっくりとした復元性を持ち、エネルギー吸収性能を高めるために、粘弾性的にポリウレタン樹脂組成を変性している。
【００１８】
（３）は低反発素材（２）の芯材として用いる引張力強化繊維であり、該引張力強化繊維（３）は、図１、図２に示すように低反発素材（２）の中間層に埋設するか、或いはシート状に形成した２枚の低反発素材（２）の間に挟んで接着して設けている。また引張力強化繊維（３）としては、アラミド繊維，炭素繊維，セルロースナノファイバー（ＣＮＦ）を用いる。
前記アラミド繊維は軽量で耐衝撃性に優れており、引張強度が鋼鉄の５倍前後であると言われている。尚、アラミド繊維の全ての中で最高の引張強度を持つと考えられているケブラー（デュポン社製、登録商標）を用いると良い。これは、芳香族ポリアミド系樹脂であり、パラフェニレンジアミンとテレフタル酸クロリドの重合によって得られ、分子構造が剛直で直鎖状の骨格を持つため、高強度・高耐熱性を持つものである。
前記炭素繊維は、引張強度を比重で割った比強度が鉄の約１０倍と言われている。
前記セルロースナノファイバー（ＣＮＦ）は、植物原料の新素材であり、このＣＮＦは鋼鉄の１／５の重量であり、鋼鉄の５倍の強度を持つと言われている。
【００１９】
（４）は帽子本体（１）の表布であり［図２（ｂ）参照］、該表布（４）としては、防水性を有した素材、例えば、ポリエステル系樹脂などの布地を用いる。
（５）は帽子本体（１）の裏布であり［図２（ｂ）参照］、該裏布（５）としては、ポリアミド系樹脂等のメッシュ布地を用いる。尚、前記表布（４）と裏布（５）は、必ずしも必要ではない。
（６）は鍔であり、該鍔（６）は、キャップであれば前縁に設けられ、ハットであれば周縁全体に設けられている。
【００２０】
図３は本実施形態に後部カバーと耳カバーを備えた状態を示す図であり、これについて説明する。後部カバー（７）は、帽子本体（１）の後部に備え、該後部カバー(７)の材料は、帽子本体（１）と同一で且つ同じ厚さのものを用いる。また後部カバー(７)の長さとしては、首が隠れ、且つ、肩に掛る程度の長さであれば良い。前記耳カバー(８)は、帽子本体（１）の側部に備え、該後部カバー(７)の材料と同一のものを用いると良い。又、前記耳カバー(８)は後部カバー(７)と連結し、且つ、帽子本体（１）と一体成形したものとしても良い。特に帽子本体（１）に耳カバー(８)を備えたものは、野球の打者が被るヘルメットの代りとして使用すれば、軽く、且つ、取扱い易いものとなる。
【００２１】
次に本発明品の被る方法について説明する。先ず始めに、本発明の帽子本体（１）は、引張強度や衝撃吸収性能が高いが、弾性と粘性を持っているので、折畳んで持運びが出来るため、一般のキャップやハットと同様に、カバンや手提げ等に入れて収納すれば良い。このため、本発明品を何処でも且つ何時でも取出して被ることが出来る。従って、本発明品は従来のキャップやハットと同様に容易に被ることができるため、従来通りに本発明品を被り、ゴルフや野球のプレーを楽しみ、或いはゴルフや野球などの観戦を楽しめば良い。この場合、飛来したボールが頭部に当る事故に遭遇しても、大ケガにならず、殆ど負傷せず頭部が保護される。
【００２２】
次に本発明の作用を図４に基づいて説明する。先ず始めに、本発明品を被って、例えば、ゴルフのプレー中に、ゴルフボールが頭部に当った場合について説明する。先ず、ゴルフボールが帽子本体（１）に当たると、先ず始めにボールが図４（ａ）のように低反発素材（２）に食い込まれ、図中に示す矢印の如く衝撃力は、表側の低反発素材（２）によって吸収されて緩和されるが、５〜１０ｍｍ程度の厚さの表側の低反発素材（２）では、衝撃力が充分に緩和されない場合もあるので、残りの衝撃力によってゴルフボールが引張力強化繊維（３）まで達した時は、衝撃力は引張力強化繊維（３）によって、ゴルフボールの食い込みを防ぎながら図４（ｂ）の図中の矢印のように衝撃力を分散させる。分散された衝撃力は、裏側（頭部側）の低反発素材（２）によって吸収されて緩和する。この時、ゴルフボールと頭部の間には、図４（ｃ）に示すように、引張力強化繊維（３）と低反発素材（２）が介在されているので、ゴルフボールが頭部に接触しないで手前で止まる。この場合、ゴルフボールの衝撃力は、３段階に吸収，分散，吸収を経て緩和されるため、頭部に大きな力が加わる恐れがなくなる。従って、ゴルフボールが頭部に当たる事故に遭遇しても、頭部が殆ど負傷せずに保護することが可能となる。尚、本発明は、頭頂部にゴルフボールが当った場合を示したが、他の部分、例えば、側部に当った場合にも図４に示す作用と同様に、吸収，分散，吸収を経て３段階に衝撃力が緩和され、頭部が殆ど負傷せずに保護することが出来るものとなる。
又、本発明の帽子本体（１）を刃物で斬り付けられた場合、刃物では引張力強化繊維（３）を切離すことができないので、頭部を刃物から守ることができ、且つ、前記帽子本体（１）に凹凸のある岩などが当った場合でも、凹凸のある岩では引張力強化繊維（３）を破ることができなので、頭部を凹凸のある岩から守ることが出来る。
【００２３】
このように本発明品は、引張力強化繊維（３）の引張り強度効果と、低反発素材（２）の衝撃吸収効果とが相俟って飛来したボールに対して頭部が略完全に保護できる。しかも低反発素材（２）や引張力強化繊維（３）には断熱効果も有しているので、熱中症対策にもなる。又、本発明品は折畳んで持ち運びが便利で、携帯に適したものとなるため、通勤・通学時でも、カバン等から本発明品を取出し、災害用の保護帽としても被ることが可能なものとなる。更に、従来から使用されているヘルメットの代用として本発明品を用いた場合には、あたかもソフトヘルメットを被ったような状態となる。また本発明品を、ヘルメットの代りに工場や作業場などで被ると、軽量であり、長時間被っても負担が少なく、着用性に優れた重宝なものとなる。
尚、低学年の児童が通学時に黄色のヘルメットを被って登校しているが、本発明品を全児童に黄色の安全帽として被らせても、普通の帽子とあまり変わらず、着用し易いものであるため、着用率は高いものとなる。しかも、ヘルメットと異なり、本発明品全体は軟らかいので、頭部同士が強打し、或いは、頭部が相手の部位に強打しても怪我の恐れが殆どないものとなる。
又、本発明品は引張力強化繊維（３）がアラミド繊維である場合、低反発素材（２）の中間層にアラミド繊維が芯材として設けられており、紫外線は低反発素材（２）を介してアラミド繊維に達するため、アラミド繊維の紫外線による劣化が防止される。
【符号の説明】
【００２４】
１  帽子本体
２  低反発素材
３  引張力強化繊維
７  後部カバー
【図１】
2019023370.tif 000003
【図２】
2019023370.tif 000004
【図３】
2019023370.tif 000005
【図４】
2019023370.tif 000006